(57)【要約】【課題】  身体に振動による刺激を与えることによって積極的に疲労回復効果を発揮するマッサージ機能付シート３を提供することを目的とする。【解決手段】  樹脂シート３の内部に振動装置６と該振動装置６に電力を供給する電源７と、前記振動装置６のオンオフを切り替える入力部８とからなる振動発生装置２を備え、前記樹脂シート３が用途に応じて切断して形状を変更するための切取線５を備え、内部に遠隔操作装置からの無線信号を受信し前記スイッチ９と接続された受信装置10を備えたことを特徴とする。【選択図】図１
2005218667.tif 000002
【特許請求の範囲】
【請求項１】
樹脂シートの内部に振動装置と該振動装置に電力を供給する電源と、前記振動装置のオンオフを切り替える入力部とからなる振動発生装置を備えたことを特徴とするマッサージ機能付シート。
【請求項２】
前記樹脂シートは用途に応じて切断して形状を変更するための切取線を備えたことを特徴とする請求項１記載のマッサージ機能付シート。
【請求項３】
内部に遠隔操作装置からの無線信号を受信し前記スイッチと接続された受信装置を備えたことを特徴とする請求項１又は２記載のマッサージ機能付シート。
【請求項４】
前記樹脂製シートと前記振動発生装置とが着脱自在に一体化されていることを特徴とする請求項１乃至３のいずれか１項記載のマッサージ機能付シート。
【発明の詳細な説明】
【技術分野】
【０００１】
本発明は、板状シートの内部に振動発生装置を備えたマッサージ機能付シートに関し、特に履物の中敷やサポータに設置して使用するものに関する。
【背景技術】
【０００２】
従来、スニーカーやビジネスシューズ、あるいはサンダルなどの履物において、歩行等による足への負担を軽減するため、中敷が用いられ、さらに、靴内部や足の消臭、抗菌を促し、また、足の血行増進による疲労の軽減、水虫予防をするための中敷が開示されている。例えば、図１１に示すように特開２０００−３５４５０２号公報には、二酸化塩素ガスを透過可能にした高分子フィルムの外装材101を少なくとも表面側に備え、亜塩素酸塩の水溶液あるいは亜塩素酸塩と塩素酸塩を含む水溶液を高吸水性樹脂に吸収させてなる二酸化塩素含有ゲル状組成物を外装材101内に充填し、外装材101は、足の土踏まずに接する部分や、その他足の指の近傍等に、二酸化塩素含有ゲル状組成物の盛り上がり部102が形成された中敷が開示されている。
【特許文献１】特開２０００−３５４５０２
【発明の開示】
【発明が解決しようとする課題】
【０００３】
しかしながら、上記した特許文献においても、二酸化塩素含有ゲル状組成物により、安定にかつ持続的に二酸化塩素ガスを放出し、その有する殺菌、消臭、抗菌等の作用を発揮し、緩衝材としてのゲルによって足をサポートし、靴の着用時にこの中敷が足に心地よくフィットし、軽快な歩行が可能となり同時にマッサージ効果を奏するものであるが、足裏に機械的な振動を与え刺激することによって、より積極的に筋肉の疲労回復や神経を緩和する効果には至らないという懸念があった。
【０００４】
そこで、本発明は上記した問題点に鑑み、身体に振動による刺激を与えることによって積極的に疲労回復効果を発揮するマッサージ機能付シートを提供することを目的とする。
【課題を解決するための手段】
【０００５】
上記目的を達成するために、本発明に係るマッサージ機能付シートは、樹脂シートの内部に振動装置と該振動装置に電力を供給する電源と、前記振動装置のオンオフを切り替える入力部とからなる振動発生装置を備えたことを特徴とする。
【０００６】
また、前記樹脂シートが用途に応じて切断して形状を変更するための切取線を備えていることを特徴とする。
【０００７】
また、内部に遠隔操作装置からの無線信号を受信し前記スイッチと接続された受信装置を備えたことを特徴とする。
【０００８】
また、前記樹脂製シートと前記振動発生装置とが着脱自在に一体化されていることを特徴とする。
【発明の効果】
【０００９】
本発明の請求項１記載のマッサージ機能付シートによれば、シート内に振動発生装置を備えたから、全体を薄く形成することができるので、靴の中敷に備えることができ、足裏に直接振動を与えることによって、筋肉疲労の回復や神経緩和などのマッサージ効果が得られる。
【００１０】
また、請求項２に記載のマッサージ機能付シートによれば、設置箇所に応じてシートの形状をシート表面に形成された切取線によって適宜変更することができるので、靴の中敷の土踏まずや膝などの関節などに設置する場合にも、フィット感を増すことができ、歩行中や運動時においてもズレを防止しできるため、より良好なマッサージ効果が得られる。
【００１１】
また、請求項３に記載のマッサージ機能付シートによれば、設置したままの状態で振動発生装置のオンオフを容易に切り替えることができるので、効果を確かめながら設置箇所や振動の強さを調節できる。
【００１２】
また、請求項４に記載のマッサージ機能付シートによれば、設置箇所に応じた樹脂シートを複数用意しておくことによって、一つの振動発生装置を多目的に使用することができるので、無駄を省けるだけでなく、樹脂シートが劣化したり損傷したりした場合には、樹脂シートのみを交換できるので、維持コストを低減できる。
【発明を実施するための最良の形態】
【００１３】
以下図面を参照して、本発明の好適な実施形態について説明する。
【００１４】
図１は、内部に振動発生装置２を備えたマッサージ機能付シート１（以下、本体）を示す図であり、組立て前の状態を示す図である。図２は切取線を設けた図である。図３は入力部の変形例を示す斜視図であり、組立て前の状態を示す図である。図４は使用状態を示す斜視図である。図５は別の使用状態を示す斜視図である。
【００１５】
前記振動発生装置２は２片の樹脂シート３（以下、シート）の内部に設置され、シート３と一体化される。前記シート３は、振動を伝達できる特性を有する柔軟性のある樹脂製の矩形シートであり、シート３の上側であって身体への当接面を構成する上シート3aと下側を構成する下シート3bとにより構成され、上シート3aと下シート3bとはほぼ同じ形状に形成される。前記下シート3bは、通常身体への当接面とはならないので、振動をより効率的に伝達するため上シート3aに比べ硬質の材料で構成してもよい。また、上シート3aと下シート3bとを同じ素材で構成することによって、面の方向性が生じない構成としてもよいことはもちろんである。さらに、シート３は透明の樹脂によって形成されてもよい。
【００１６】
この下シート3bの中央に振動発生装置２を配置し図示しない固定手段によって下シート3bに固定し、上方から上シート3aを被せ、シート３の外周端部から一定の距離に設けられた接着部４において、上シート3aと下シート3bとが接着剤等によって一体的に固着されることによって、シート３内に振動発生装置２が備えられ、シート３と振動発生装置２が一体化される。前記固定手段は、シート３に接着テープを設け該接着テープに振動発生装置２を貼着したものであってもよい。また、前記固定手段は、シート３に複数の突起部を設け、該突起部に振動発生装置２を狭持してもよい。尚、上シート3aと下シート3bの内側全面に前記接着部４を設け、該接着部４の中央に振動発生装置２を貼着し、上シート3aと下シート3bとを貼着し、本体１を構成してもよい。
【００１７】
振動発生装置２が内蔵された本体１は、用途に合わせて不要部を切断して外形を調整するための切取線５を形成してもよい。切取線５は、図４に示すように、例えば、シート３を靴41の中敷42の土踏まず43に合わせて三角形に形成したり、また、図５に示すように、膝51などの関節に合わせ三日月形に形成し、サポータ52によって固定したりしてもよい。こうすることによって、本体１を身体に密着させることができるので、歩行中や運動の最中などでも、良好なマッサージ効果が得られる。このとき、前記接着部４は、切取線５においてシート３の不要部を切断した後においても、上シート3aと下シート3bとが固着したままの状態を保持できるように形成されることはいうまでもない。また、切取線５は一つのシート３に複数形成してもよいことはもちろんである。
【００１８】
このように本体１に切取線５を設けることによって、設置箇所に応じて外形を整えることができるので、本体１を体にフィットさせることができるため、マッサージ効果をより向上させることができる。さらに、上シート3aもしくは下シート3bのいずれか一方または両方の表面に、靴41の中敷42や身体、サポータ51などに貼着するための接着シート３を設けてもよい。この接着シート３によって、本体１を靴41の中敷42や身体、サポータ51などに着脱自在に固定することができるので、本体１が使用時に設置箇所からずれるのを防止できるため、よりマッサージ効果を向上できる。
【００１９】
前記振動発生装置２は、電源から供給される電力によって振動を発生する振動装置６と、振動装置６に電力を供給する電源７と、電源７のオンオフを切り替える入力部８とで構成される。振動装置６は、例えば、公知の振動モータであって、特に扁平形状のものが好ましく用いられ、入力部８に電気的に接続されている。また、前記入力部８は、電源７と電気的に接続され、電源７から振動装置６への電力供給を切替えている。
【００２０】
入力部８は、受信装置または／および電源用釦として、本体１内に設けられており、シート３を介して外部からの信号を受信し、または後述する電源用釦を直接押すなどの操作ができるようになっている。
【００２１】
まず、遠隔装置により本体１を起動する場合の構成について説明する。入力部８は該遠隔装置からの信号を受信する受信装置10と回路の開閉を行なうスイッチ９とにより構成され受信装置10とスイッチ９とは電気的に接続されている（図１）。受信装置10は、本体１内に設けられ、前記スイッチ９を介して電源７に電気的に接続されている。受信装置10が外部の図示しない遠隔装置からの信号を受信すると、受信装置10に接続されたスイッチ９が送信された信号に応じて電源７と振動装置６を繋ぐ回路を適宜開閉し、振動装置６のオンオフが切り替えられる。
【００２２】
次に、本体１に設けられたスイッチ９を直接操作することによって本体１を起動する場合の構成について図３を参照して説明する。入力部８は電源用釦11と回路の開閉を行なうスイッチ９とにより構成され、本体１内に設けられ、電源用釦11とスイッチ９とは電気的に接続されており、該スイッチ９を介して電源７と振動装置６とが接続されている。振動装置６の動作を開始するには、シート３を介して上部からの電源用釦11に対する押圧により回路の開閉を行なうスイッチ９が投入されることによって、電力が電源７から振動装置６へ供給され、振動装置６が回転を始め本体１が振動する。また、振動装置６の動作を停止する場合は、同様に電源用釦11に対する押圧によりスイッチ９をオフにすることによって電力を遮断し、振動装置６を停止できる。
【００２３】
上記した入力部８は、受信装置10と電源用釦11のうち少なくともいずれか一方を備えていれば足り、また、受信装置10と電源用釦11を併用もしくは一体的に備えてもよい。
【００２４】
次に上記した本実施形態に係る本体１の作用について説明する。
【００２５】
まず、遠隔操作により本体１を使用する場合について説明する。図示しない遠隔装置が振動装置６をスタートさせる信号を発すると、その信号を入力部８である受信装置10が受け取り、この信号に応じスイッチ９が回路を閉じることによって、電力が電源７から振動装置６へ供給されてモータが回転を始めることによって振動が発生する。その振動はシート３の内面から外面へ伝達される。この状態で靴41の中敷42や身体の一部、例えば膝51などに設置すると本体１表面から身体へと振動が伝達され、血行を促進し筋肉疲労の回復などのリラクゼーション効果をもたらす。
【００２６】
また、本体１の振動を停止させるには、開始時と同様に遠隔装置が振動装置６を停止させる信号を発信すると、その信号を受信装置10が受け取り、この信号に応じスイッチ９が回路を開くことによって、振動装置６への電力供給が遮断され、動作を停止できる。
【００２７】
次に、電源用釦11により本体１を使用する場合について説明する。この電源用釦11に対する押圧により回路の開閉を行なうスイッチ９が投入されると、電力が電源７から振動装置６へ供給されて振動装置６が回転を始めることによって振動が発生する。また、振動装置６を停止する場合には、電源用釦11に対する押圧により回路の開閉を行なうスイッチ９をオフすることによって、振動装置６へ供給される電力が遮断され振動装置６が停止する。
【００２８】
このように本実施形態では請求項１に対応して、樹脂シート３の内部に振動装置６と該振動装置６に電力を供給する電源７と、前記振動装置６のオンオフを切り替える入力部８とからなる振動発生装置２を備えたから、全体を薄く形成することができるので、本体１を靴41の中敷42に備えることができ、足裏に直接振動を与えることによって、筋肉疲労の回復や神経緩和などのマッサージ効果を得ることができる。
【００２９】
また、請求項２に対応して、前記樹脂シート３が用途に応じて切断して形状を変更するための切取線５を備えたから、設置箇所に応じてシート３の形状をシート３表面に形成された切取線５によって適宜変更することができるので、靴41の中敷42の土踏まず43や膝51などの関節などに設置する場合にも、フィット感を増すことができ、歩行中や運動時においてもズレを防止しできるため、より良好なマッサージ効果が得られる。
【００３０】
また、請求項３に対応して、内部に遠隔操作装置からの無線信号を受信し前記スイッチ９と接続された受信装置10を備えたから、設置したままの状態で振動発生装置２のオンオフを容易に切り替えることができるので、効果を確かめながら設置箇所や振動の強さを調節できる。
【００３１】
次に本発明に係るマッサージ機能付シート３の別の実施形態について図を参照して説明する。図６は組立て状態を示す図である。図７は本実施形態に係る振動発生装置を示す図である。図８本実施形態に係る部品を示す斜視図であり、リング状シートを示す図である。尚、上記した実施形態と同様の構成については同様の符号を付し、簡単のため説明を省略する。
【００３２】
本実施形態に係るマッサージ機能付シート３の本体１は、ケース31と該ケース31内に備えられた振動装置６とからなる振動発生装置２と、樹脂シートであるリング状のシート32（以下、リング状シート）とから構成される。前記ケース31は硬質樹脂などの絶縁体からなる扁平の円盤形の容器であり、上下方向に二分割される受体33と蓋体34とからなり、受体33と蓋体34を分離可能に一体化することによって密閉される。例えば、図示しないが、該受体33の上端縁部に形成した雄ネジを前記蓋体34の下端縁部内面に形成した雌ネジに螺合し、前記雄ネジの下端に備えたシール材、例えばＯリングに前記雌ネジの先端縁部が当接しネジの締め付け力によってシールされて本体１が密閉されてもよい。また、受体33と蓋体34との接合部の外周には、全周にわたってシート32を挿嵌するための溝部35が形成されている。このようにケース31を上下に分離可能としたので、電源７の交換を容易にでき、使い捨てにする必要がないため、低コストかつ環境にやさしいマッサージ機能付シート３を提供できるものである。
【００３３】
前記リング状シート32は振動を伝達できる特性を有する柔軟性のある樹脂製のリング形のシートであり、本体１に形成された溝部35の外形と略同形の貫通孔36を有している。このように構成されたリング状シート32と振動発生装置を一体化するには、リング状シート32の貫通孔36に振動発生装置２を挿嵌し、溝部35にリング状シート32の内円端部37が着脱自在に挿着することによってリング状シート32とケース31が一体化される。
【００３４】
リング状シート32は、外形が円形のほかに三角形、矩形、三日月形などのものを用意しておくことによって、用途に合わせ適宜振動発生装置２に対しリング状シート32を交換することで、より良好なマッサージ効果が得られる。さらに、リング状シート32表面に靴の中敷や身体、サポータなどに貼着するための接着シートを設けてもよい。この接着シートによって、本体１を靴の中敷や身体、サポータなどに着脱自在に固定することができるので、本体１が使用時に設置箇所からずれるのを防止できる。
【００３５】
このように本実施形態では請求項４に対応して、樹脂シートであるリング状シート32と振動発生装置２とが着脱自在に一体化されているから、設置箇所に応じたリング状シート32を複数用意しておくことによって、一つの振動発生装置２を多目的に使用することができるので、無駄を省けるだけでなく、樹脂シート３が劣化したり損傷したりした場合には、リング状シート32のみを交換できるので、維持コストを低減できる。
【００３６】
本発明は、本実施形態に限定されるものではなく、本発明の要旨の範囲内で種々の変形実施が可能である。例えば、図９，１０に示すように、各本体１間を切取線５で仕切って連続して本体１を構成したセット53,54を形成してもよい。こうすることによって持ち運びが便利になり、必要に応じてセットから必要数のみを切取線５を使って切りはずして使用できるので、残数を的確に把握できるため無駄なく使用できる。また、遠隔操作装置において、振動発生装置２のオンオフを切り替えるだけでなく、本体に可変抵抗器などの制御部を設け振動の強弱を調節できるようにしてもよいことはもちろんである。
【図面の簡単な説明】
【００３７】
【図１】本発明のマッサージ機能付シートの一実施形態を示す斜視図であり、組立て前の状態を示す図である。
【図２】同上、平面図であり、切取線を設けた図である。
【図３】同上、入力部の変形例を示す斜視図であり、組立て前の状態を示す図である。
【図４】同上、使用状態を示す斜視図である。
【図５】同上、別の使用状態を示す斜視図である。
【図６】本発明のマッサージ機能付シートの別の実施形態を示す斜視図であり、組立て状態を示す図である。
【図７】同上、部品を示す斜視図であり、振動発生装置を示す図である。
【図８】同上、部品を示す斜視図であり、リング状シートを示す図である。
【図９】本発明のマッサージ機能付シートの変形例を示す斜視図であり、使用前の状態を示す図である。
【図１０】同上、別の変形例を示す斜視図であり、使用前の状態を示す図である。
【図１１】従来例を示す断面図である。
【符号の説明】
【００３８】
２    振動発生装置
３    樹脂シート
５    切取線
６    振動装置
７    電源
８    入力部
10    受信装置
９    スイッチ
【図１】
2005218667.tif 000003
【図２】
2005218667.tif 000004
【図３】
2005218667.tif 000005
【図４】
2005218667.tif 000006
【図５】
2005218667.tif 000007
【図６】
2005218667.tif 000008
【図７】
2005218667.tif 000009
【図８】
2005218667.tif 000010
【図９】
2005218667.tif 000011
【図１０】
2005218667.tif 000012
【図１１】
2005218667.tif 000013